(57)【要約】【課題】  押し釦が誤って操作された場合等においても衣服が濡れたり火傷を負ったりすることを確実に防止することができる水栓装置を提供する。【解決手段】  本発明は、開閉弁の開閉により止水状態と吐水状態を切り替える水栓装置(101,201)であって、水栓本体(102,203)と、この水栓本体に取り付けられる開閉弁(130,132,230,232)と、水栓本体に取り付けられ、押圧操作するごとに開閉弁を閉じて止水状態とすると共に開閉弁を開いて吐水状態とする押し釦(108,110,208,210)と、この押し釦と水栓本体との間に設けられ、使用者の操作により押し釦をロックして止水状態を保持するロック機構(142,160,162,164,242)と、を有する。【選択図】      図１９
2005120596.tif 000002
【特許請求の範囲】
【請求項１】
開閉弁の開閉により止水状態と吐水状態を切り替える水栓装置であって、
水栓本体と、
この水栓本体に取り付けられる開閉弁と、
上記水栓本体に取り付けられ、押圧操作するごとに開閉弁を閉じて止水状態とすると共に開閉弁を開いて吐水状態とする押し釦と、
この押し釦と上記水栓本体との間に設けられ、使用者の操作により押し釦をロックして止水状態を保持するロック機構と、
を有することを特徴とする水栓装置。
【請求項２】
上記押し釦及び上記ロック機構は、予めベースプレートに取り付けられ、これらの押し釦、ロック機構、及び、ベースプレートにより、押ボタンユニットが形成され、この押ボタンユニットが上記水栓本体に取り付けられている請求項１記載の水栓装置。
【請求項３】
上記ロック機構は、上記ベースプレートに沿って移動することにより、上記押し釦をロックして止水状態を保持する請求項２記載の水栓装置。
【請求項４】
上記水栓装置は、温度調整用ダイヤルを備えた湯水混合水栓であり、上記開閉弁は、カラン吐水口及びシャワー吐水口に温度調整された湯水を吐水するカラン用開閉弁及びシャワー用開閉弁を有し、上記押ボタンユニットに、カラン用押し釦及びシャワー用押し釦が設けられている請求項２記載の水栓装置。
【請求項５】
上記ロック機構は、上記カラン用押し釦及びシャワー用押し釦を同時にロックして止水状態を保持する請求項４記載の水栓装置。
【請求項６】
上記ロック機構は、上記カラン用押し釦及びシャワー用押し釦の何れか一方をロックして止水状態を保持する請求項４記載の水栓装置。
【請求項７】
上記ロック機構は、上記カラン用押し釦をロックして止水状態を保持するカラン用ロック機構と、上記シャワー用押し釦をロックして止水状態を保持するシャワー用ロック機構を有する請求項４記載の水栓装置。
【請求項８】
上記水栓本体は、断熱カバーを含み、上記押し釦がこの断熱カバーに取り付けられ、上記ロック機構が押し釦と断熱カバーとの間に取り付けられている請求項１記載の水栓装置。
【請求項９】
上記水栓装置は、温度調整用ダイヤルを備えた湯水混合水栓であり、上記開閉弁は、カラン吐水口及びシャワー吐水口に温度調整された湯水を吐水するカラン用開閉弁及びシャワー用開閉弁を有し、上記押し釦は、カラン用押し釦及びシャワー用押し釦である請求項８記載の水栓装置。
【請求項１０】
開閉弁の開閉により止水状態と吐水状態を切り替える水栓装置であって、
水栓本体と、
この水栓本体に取り付けられる開閉弁と、
上記水栓本体に取り付けられ、押圧操作するごとに開閉弁を閉じて止水状態とすると共に開閉弁を開いて吐水状態とする押し釦と、
使用者の操作により押し釦の動作を規制して止水状態を保持する釦動作規制手段と、
を有することを特徴とする水栓装置。
【発明の詳細な説明】
【技術分野】
【０００１】
本発明は、水栓装置に係わり、特に、開閉弁の開閉により止水状態と吐水状態を切り替える水栓装置に関する。
【背景技術】
【０００２】
従来から、押し釦を操作することにより、弁体の開閉を止水状態と吐水状態の２状態に切り替え制御するようにした水栓装置が知られている。
例えば、特開平１０−１６９８０１号公報（特許文献１）には、押し釦として、支軸を中心に揺動するシーソー式のレバーを設け、この押し釦を押圧操作することにより、ダイヤフラム式の開閉弁の弁体を開位置及び閉位置に位置させることにより、止水状態と吐水状態を切り替えるようにした水栓装置が知られている。
【０００３】
【特許文献１】特開平１０−１６９８０１号公報
【発明の開示】
【発明が解決しようとする課題】
【０００４】
上述した特許文献１のように押し釦により止水状態と吐水状態を切り替え制御するような水栓装置では、例えば、掃除のとき、不意に押し釦に触れてしまい、それにより吐水状態となり、衣服が濡れてしまうことがある。また、このとき、温度が高温にセットされていると、火傷を負うという問題もある。また、水栓装置を使用していないときでも、地震等により、落下物があり、その落下物により、押し釦が不意に作動し、吐水される場合もあり、このような状況でも押し釦が作動しなようにする必要がある。さらに、子供が誤って又はいたずらで押し釦を操作する場合もあり、この場合でも、上述したものと同様な問題が生じる。
【０００５】
そこで、本発明は、従来技術の問題点を解決するためになされたものであり、押し釦が誤って操作された場合等においても衣服が濡れたり火傷を負ったりすることを確実に防止することができる水栓装置を提供することを目的としている。
【課題を解決するための手段】
【０００６】
上記の目的を達成するために、本発明は、開閉弁の開閉により止水状態と吐水状態を切り替える水栓装置であって、水栓本体と、この水栓本体に取り付けられる開閉弁と、水栓本体に取り付けられ、押圧操作するごとに開閉弁を閉じて止水状態とすると共に開閉弁を開いて吐水状態とする押し釦と、この押し釦と水栓本体との間に設けられ、使用者の操作により押し釦をロックして止水状態を保持するロック機構と、を有することを特徴としている。
このように構成された本発明によれば、例えば、掃除のとき、水栓を使用しないとき、子供に操作させたくないとき、誤操作を防止する必要がある等のときは、不意に押し釦が操作されても、押し釦がロック機構によりロックされて止水状態が保持されているため、吐水状態とはならない。その結果、本発明によれば、例えば、掃除のとき、不意に押し釦に触れてしまい、それにより吐水状態となり、衣服が濡れてしまうことがあるが、これを確実に防止でき、また、このとき、温度が高温にセットされていると、火傷を負うこともあるが、これも確実に防止でき、また、水栓装置を使用していないときでも、地震等により、落下物があり、その落下物により、押し釦が不意に作動し、吐水される場合もあるが、これも確実に防止でき、さらに、子供が誤って又はいたずらで押し釦を操作する場合であっても、子供のそのような操作を防止することが出来る。
【０００７】
本発明において、好ましくは、押し釦及びロック機構は、予めベースプレートに取り付けられ、これらの押し釦、ロック機構、及び、ベースプレートにより、押ボタンユニットが形成され、この押ボタンユニットが水栓本体に取り付けられている。
このように構成された本発明によれば、押し釦、ロック機構、及び、ベースプレートがユニット化されているので、ロック機構の取り付けが容易となり、さらに、この押ボタンユニットを単に水栓本体に取り付ければよいため、組立作業性が向上する。
【０００８】
本発明において、好ましくは、ロック機構は、ベースプレートに沿って移動することにより、押し釦をロックして止水状態を保持する。
このように構成された本発明によれば、ロック機構の操作が簡単であり、操作性が向上する。
【０００９】
本発明において、好ましくは、水栓装置は、温度調整用ダイヤルを備えた湯水混合水栓であり、開閉弁は、カラン吐水口及びシャワー吐水口に温度調整された湯水を吐水するカラン用開閉弁及びシャワー用開閉弁を有し、押ボタンユニットに、カラン用押し釦及びシャワー用押し釦が設けられている。
【００１０】
本発明において、好ましくは、ロック機構は、カラン用押し釦及びシャワー用押し釦を同時にロックして止水状態を保持する。
【００１１】
本発明において、好ましくは、ロック機構は、カラン用押し釦及びシャワー用押し釦の何れか一方をロックして止水状態を保持する。
【００１２】
本発明において、ロック機構は、カラン用押し釦をロックして止水状態を保持するカラン用ロック機構と、シャワー用押し釦をロックして止水状態を保持するシャワー用ロック機構を有する。
【００１３】
本発明において、好ましくは、水栓本体は、断熱カバーを含み、押し釦がこの断熱カバーに取り付けられ、ロック機構が押し釦と断熱カバーとの間に取り付けられている。
このように構成された本発明によれば、水栓本体が断熱カバーを含むタイプの水栓装置であっても、押し釦をこの断熱カバーに取り付け、ロック機構を押し釦と断熱カバーとの間に取り付けることにより、掃除等のとき、不意に押し釦が操作されても、押し釦がロック機構によりロックされて止水状態が保持されているため、吐水状態とはならない。
【００１４】
本発明において、好ましくは、水栓装置は、温度調整用ダイヤルを備えた湯水混合水栓であり、開閉弁は、カラン吐水口及びシャワー吐水口に温度調整された湯水を吐水するカラン用開閉弁及びシャワー用開閉弁を有し、押し釦は、カラン用押し釦及びシャワー用押し釦である。
【００１５】
本発明は、開閉弁の開閉により止水状態と吐水状態を切り替える水栓装置であって、水栓本体と、この水栓本体に取り付けられる開閉弁と、水栓本体に取り付けられ、押圧操作するごとに開閉弁を閉じて止水状態とすると共に開閉弁を開いて吐水状態とする押し釦と、使用者の操作により押し釦の動作を規制して止水状態を保持する釦動作規制手段と、を有することを特徴としている。
このように構成された本発明においても、不意に押し釦が操作されても、押し釦の動作が釦動作規制手段により規制されるので、止水状態が保持される。その結果、本発明によれば、例えば、掃除のとき、不意に押し釦に触れてしまい、それにより吐水状態となり、衣服が濡れてしまうことがあるが、これを確実に防止でき、また、このとき、温度が高温にセットされていると、火傷を負うこともあるが、これも確実に防止でき、また、水栓装置を使用していないときでも、地震等により、落下物があり、その落下物により、押し釦が不意に作動し、吐水される場合もあるが、これも確実に防止でき、さらに、子供が誤って又はいたずらで押し釦を操作する場合であっても、子供のそのような操作を防止することが出来る。
【発明の効果】
【００１６】
以上説明したように、本発明の水栓装置によれば、押し釦が誤って操作された場合等においても衣服が濡れたり火傷を負ったりすることを確実に防止することができる。
【発明を実施するための最良の形態】
【００１７】
以下に添付図面を参照して本発明の実施形態を説明する。
先ず、図１乃至図５により、本発明の実施形態の水栓装置である湯水混合水栓の基本構成を説明する。図１は、本発明の実施形態による湯水混合水栓を示す全体斜視図であり、図２は、図１に示された湯水混合水栓の平面図であり、図３は、図１に示す湯水混合水栓の部品を展開して示す展開図であり、図４は、本発明の実施形態の水栓本体を示す平面図であり、図５は図４のＡ−Ａ線、Ｂ−Ｂ線及びＣ−Ｃ線に沿って見た断面図である。
【００１８】
図１及び図２に示すように、符号１０１は、本実施形態による湯水混合水栓を示し、この湯水混合水栓１０１は、湯水混合水栓１０１の設置面である壁面から突出して設けられている。この湯水混合水栓１０１は、水栓本体１０２を備え、この水栓本体１０２に、温度調整用ダイヤル１０４及び押ボタンユニット１０６が取り付けられている。この押ボタンユニット１０６は、カラン吐水用のカラン用押し釦１０８、シャワー吐水用のシャワー用押し釦１１０、これらの押し釦１０８，１１０が取り付けられるベースプレート１１２、及び、押し釦１０８，１１０をロックして止水状態を保持するロック機構１４２から構成されている。
【００１９】
温度調整用ダイヤル１０４により所望の水温が設定され、湯水の混合比が調整されて、適温の吐水がなされる。また、カラン用押し釦１０８を操作することでカランから吐水され、シャワー吐水用押し釦１１０を操作することでシャワーからシャワー吐水がなされる。
ここで、カラン用押し釦１０８及びシャワー用押し釦１１０のそれぞれ操作面を水栓本体１０２の表面とほぼ同一面上に設けることにより、操作性を向上させている。
【００２０】
カラン用押し釦１０８の取付け位置の前方下面側には、カラン吐水口１１６が設けられ、また、シャワー用押し釦１１０の取付け位置の下面側には、シャワー吐水口１１８（図３参照）が設けられている。カラン吐水口１１６には、カラン吐水管１２０が接続され、また、シャワー吐水口１１８には図示しないシャワーヘッドに連通したシャワーホース１２２が接続されている。
【００２１】
使用者は、温度調整用ダイヤル１０４により所望の温度を設定するとともに、カラン吐水を得たい場合はカラン用押し釦１０８を、シャワー吐水を得たい場合はシャワー用押し釦１１０を押すことにより、直ちに、所望の温度の混合水の吐水を得ることができる。そして、各押し釦１０８、１１０を再度押すと、止水されるようになっている。
本実施形態によれば、温度調整用ダイヤル１０４、カラン用押し釦１０８及びシャワー用押し釦１１０の順番で、水栓本体１０２上に配置され、さらに、カラン用押し釦１０８の位置及びカラン吐水口１１６の位置が上方から見てほぼ一致するようになっているので、使用者の使い勝手の良いものとなる。
【００２２】
次に、湯水混合水栓１０１内における湯水の流れを説明すると、先ず、給水管、給湯管から湯水混合水栓１０２内に流入した湯水は、湯用、水用それぞれに設けられた止水栓により適当な流量に絞られ、湯用、水用それぞれに設けられたフィルターおよび逆止弁を通過し、温度調節弁に流入する。温度調節弁はサーモスタット式の湯水混合弁であり、湯と水は所望の設定された温度に自動調整され、湯水混合水が温度調節弁から流出する。その後、湯水混合水はカラン用、シャワー用それぞれに設けられた開閉弁ユニット（パイロット式開閉弁装置）１３０，１３２を経て、カランおよびシャワーノズルから吐水される。
【００２３】
図３に示すように、開閉弁ユニット１３０，１３２は、それぞれ、開閉弁ユニット取付用ナット１３４により、水栓本体１０２に固定されるようになっている。ここで、開閉弁ユニット１３０，１３２の詳細構造は、図２２乃至図２６により後述する。
また、押ボタンユニット１０６は、ベースープレート１１２の上部に４つの係止片１６８（図６参照）及び２つの固定用フランジ１７０を備えており、押ボタンユニット１０６を水栓本体１０２に取り付けるときは、４つの係止片１６８を水栓本体１０２の係止孔（図示せず）に挿入して係止し、次に、水栓本体１０２の下方側から固定用フランジ１７０を固定用ビス１３６により水栓本体１０２に固定するようになっている。
【００２４】
このように、本実施形態では、押し釦１０８，１１０を押ボタンユニット１０６としてユニット化しているので、押ボタンユニット１０６を単に水栓本体１０２に取り付ければ良く、押し釦１０８，１１０を水栓本体１０２に組み付ける際の組立作業性が向上する。
また、開閉弁ユニット１３０，１３２をメンテナンスのために取り出すときも、押ボタンユニット１０６を水栓本体１０２から取り外すだけで、開閉弁ユニット１３０，１３２を水栓本体１０２から極めて簡単に取り外すことができるので、メンテナンス性も向上する。
【００２５】
ここで、図５（ａ）は、図４に示す水栓本体をＡ−Ａ線に沿って見た断面図であり、図５（ｂ）は水栓本体をＢ−Ｂ線に沿って見た断面図であり、図５（ｃ）は水栓本体をＣ−Ｃ線に沿って見た断面図である。
図４及び図５に示すように、水栓本体１０２には、その背部から、湯及び水が供給されるが、その前方側では、ほぼ水及び温度調整された水（温調水）のみが流れるようになっている。そのため、断熱カバー等を設ける必要がない。
【００２６】
次に、図６乃至図１１により、押ボタンユニット１０６の詳細構造を説明する。図６は押ボタンユニット１０６の部品を展開して示す展開図、図７は押し釦１０８（１１０）を裏側から見た斜視図、図８は押ボタンユニット１０６の正面図、図９は図８のＤ−Ｄ線に沿って見た断面図、図１０はロック解除時に使用者が押し釦１０８（１１０）を操作するときの押し釦の各レベルを示す混合水栓の部分断面図、図１１は押し釦による止水状態（図１１（ａ））と吐水状態（図１１（ｂ））を示す側面図である。
【００２７】
図６に示すように、押ボタンユニット１０６は、上述したように、ベースプレート１１２と、このベースプレート１１２に取り付けられるカラン用押し釦１０８及びシャワー用押し釦１１０を備えている。
また、ベースプレート１１２は、カラン用押し釦１０８及びシャワー用押し釦１１０の間にこれらの押し釦を仕切る仕切り部１３８を一体的に備えている。これにより、使用者が、カラン用押し釦１０８及びシャワー用押し釦１１０を操作するときの誤操作を簡易な構造により防止することができる。
さらに、押ボタンユニット１０６は、これらの押し釦１０８，１１０をベースプレート１１２に取り付けたとき、押し釦１０８，１１０をベースプレート１１２に押し付けるための付勢手段であるコイルばね１４０、及び、押し釦１０８，１１０を操作しても、止水状態を保持して吐水状態とならないようにするための誤操作防止用のロック機構１４２を備えている。
【００２８】
次に、図７に示すように、押し釦１０８（１１０）は、その一端側に一対の支持軸１４４（１４４ａ，１４４ｂ）が設けられ、この支持軸１４４のうちの長い方の支持軸１４４ａには、コイルばね１４０が取り付けられている（図９参照）。また、押し釦１０８（１１０）の裏面側には、開閉弁ユニット１３０（１３２）の操作部３６（図１８参照）と当接して使用者の押圧力を伝達する操作用突起１４６が一体的に設けられている。
【００２９】
図９に示すように、取付時には、先ず、押し釦１０８（１１０）の支持軸１４４ａに、コイルばね１４０を装着し、次に、ベースプレート１１２に取り付ける。具体的には、シャワー用押し釦１０８の支持軸１４４ａは、ベースプレート１１２の取付用溝１４８を形成する突起１５０（１５０ａ，１５０ｂ）に当接し、弾性変形して内側にたわみ、突起１５０を乗り越えて、取付用溝１４８内に回動可能に取り付けられる。
【００３０】
図１０（ａ）は、ロック解除時の止水状態（閉状態）を示しており、このとき、押し釦１０８（１１０）の上面と、水栓本体１０２の上面（表面）は同じレベルとなっている。この止水状態（閉状態）時、開閉弁ユニット１３０（１３２）において、押し釦１０８（１１０）の裏面側（下面側）の操作用突起１４６に接触する操作部３６（図２３参照）の位置は、パイロット弁切替保持機構（ハートカム機構）６２（図２３参照）により、レベルＬ０となっている。
【００３１】
次に、止水状態から吐水状態に切り替えるときは、図１０（ｂ）に示すように、押し釦１０８（１１０）は、パイロット弁切替保持機構（ハートカム機構）６２が解除されるため、一旦、最下方位置まで下がる。
【００３２】
次に、図１０（ｂ）の状態から吐水操作を終了したときは、図１０（ｃ）に示す状態となり、このとき、押し釦１０８（１１０）の上面が、水栓本体１０２よりｈ１だけ高い位置となっている。具体的には、この吐水状態時、開閉弁ユニット１３０（１３２）において、押し釦１０８（１１０）の操作用突起１４６に接触する操作部３６の位置は、パイロット弁切替保持機構６２により、レベルＬ１となっている。このレベルＬ１の位置は、レベルＬ０よりも、ｈ１だけ、高い位置となっており、その結果、押し釦１０８（１１０）が、水栓本体１０３の表面よりも、上方に位置するようになっている。
【００３３】
図１１（ａ）に示すように、止水状態のときは、押し釦１０８（１１０）は、押し釦１０８（１１０）とベースプレート１１２との間で作用するコイルばね１４０による比較的に小さな付勢力により、または、付勢力がほぼゼロの状態で、開閉弁ユニット１３０（１３２）の操作部３６に対して、下方に押し付けられている。また、図１１（ｂ）に示すように、吐水状態のときは、押し釦１０８（１１０）は、コイルばね１４０による比較的に大きな付勢力により、下方に押し付けられている。
このため、使用者が、止水状態から吐水状態とするための吐水操作をした時、押し釦１０８（１１０）は、コイルばね１４０により、ベースプレート１１２、即ち、下方に押し付けられるので、釦自体が振動する（暴れる）ことを防止することができる。
【００３４】
次に、図１２乃至図１６により、ロック機構１４２の取付方法を説明する。図１２は、ベースプレートを図６のＦ方向から見た図であり、図１３は、図１２のＧ−Ｇ線に沿って見た断面図であり、図１４は，ロック機構を示す正面図であり、図１５は、図１４の側面図であり、図１６は、ロック機構が取り付けられた状態を示す押ボタンユニット１０６の断面図である。
【００３５】
先ず、図１２及び図１３に示すように、ベースプレート１１２は、その中央部の底面に中央底面部１７２を有し、両側の底面の他の底面部１７４よりも高く形成されており、さらに、中央底面部１７２には、下方に突出する突起１７６が設けられている。
次に、図１４及び図１５に示されているように、ロック機構１４２は、その下部に、係止片１７８を備え、この係止片１７８により、係止口部１８０を形成している。また、係止片１７８の上面側には段差１８２が形成され、下面側には摘み部１８４が形成されている。
【００３６】
次に、ロック機構１４２をベースプレート１１２に取り付けるときは、図１６に示すように、先ず、ロック機構１４２の係止口部１８０に、ベースプレート１１２の中央底面部１７２を挿入する。次に、ロック機構１４２の係止片１７８がベースプレート１１２の突起１７６を乗り越えて、突起１７６が段差１８２に収まり、その結果、ロック機構１４２をベースプレート１１２に取り付けられる。
【００３７】
なお、本実施形態では、ロック機構１４２をベースプレート１１２に沿って左右方向に移動させているが、これに限らず、ベースプレート１１２の仕切り部１３８にロック機構を取り付け、ロック機構を上下方向に移動させるようにしても良い。
【００３８】
次に、図６乃至図８及び図１７乃至図２１により、ロック機構１４２の動作を説明する。図１７は図８のＥ‐Ｅ線に沿って見た押ボタンユニット（開閉弁ユニットを含む）のロック解除時（図１７（ａ））及びロック時（図１７（ｂ））を示す部分断面図であり、図１８は本実施形態の押ボタンユニット及びその近傍のロック解除時（図１８（ａ））及びロック時（図１８（ｂ））を示す正面図であり、図１９は本実施形態の押ボタンユニットのロック解除時（図１９（ａ））及びロック時（図１９（ｂ））を示す斜視図である。
【００３９】
本実施形態によるロック機構１４２は、図６に示すように、一体的に形成された４つのロック用ツメ部１５２を備えている。また、押し釦１０８（１１０）は、図７に示すように、それぞれ、一体的に形成された２つのロック用リブ１５４を備えている。このロック機構１４２は、図８に示すように、使用者が操作することにより、ベースプレート１１２に沿って左方向Ｌ及び右方向Ｒに移動可能であり（図１９参照）、左方向Ｌに移動したとき、カラン用押し釦１０８及びシャワー用押し釦１１０の両方が同時にロック解除状態となり、右方向Ｒに移動したとき、カラン用押し釦１０８及びシャワー用押し釦１１０の両方が同時にロック状態となる。
【００４０】
使用者が湯水混合水栓１０１を使用する場合には、ロック機構１４２が左方向Ｌに移動させる。このとき、図１７（ａ）、図１８（ａ）及び図１９（ａ）に示すように、ロック機構１４２の４つのロック用ツメ部１５２はロック用リブ１５４から離れた位置となり、押し釦１０８及び１１０の両方のロックは同時に解除され、押し釦１０８（１１０）を押圧すると下降して、止水状態から吐水状態に切り替わるようになっている。
【００４１】
一方、使用者は、湯水混合水栓１０１を掃除するとき、水栓を使用しないとき、子供に操作させたくないとき、誤操作を防止する必要がある等のときは、ロック機構１４２を右方向Ｒに移動させる。このとき、図１７（ｂ）、図１８（ｂ）及び図１９（ｂ）に示すように、ロック機構１４２の４つのロック用ツメ部１５２はロック用リブ１５４にぞれぞれ当接し、それにより、カラン用押し釦１０８及びシャワー用押し釦１１０の両方が同時にロックされ、カラン用押し釦１０８及び／又はシャワー用押し釦１１０を押圧しても下降しないようになっている。
【００４２】
このように、本実施形態のロック機構１４２によれば、掃除のとき、水栓を使用しないとき、子供に操作させたくないとき、誤操作を防止する必要がある等のときは、不意に押し釦１０８（１１０）が操作されても、押し釦１０８（１１０）がロックされて止水状態が保持されているため、吐水状態とはならない。その結果、例えば、掃除のとき、不意に押し釦に触れてしまい、それにより吐水状態となり、衣服が濡れてしまうことがあるが、これを確実に防止でき、また、このとき、温度が高温にセットされていると、火傷を負うこともあるが、これも確実に防止できる。また、水栓装置を使用していないときでも、地震等により、落下物があり、その落下物により、押し釦が不意に作動し、吐水される場合もあるが、これも確実に防止できる。さらに、子供が誤って又はいたずらで押し釦を操作する場合であっても、子供のそのような操作を防止することも可能である。
【００４３】
次に、図２０により、本実施形態によるロック機構の他の例を説明する。図２０は本実施形態によるロック機構の他の例を使用した押ボタンユニット及びその近傍を示す正面図である。このロック機構１６０は、カラン用押し釦１０８及びシャワー用押し釦１１０の何れか一方のみをロックするようにしている。また、カラン用押し釦１０８及びシャワー用押し釦１１０の一方がロック時には他方はロック解除されている。
【００４４】
具体的には、図２０（ａ）に示すように、ロック機構１６０を左方向Ｌに移動させると、カラン用押し釦１０８は、ロック機構１６０の２つのロック用ツメ部１５２と押し釦１０８の２つのロック用リブ１５４が当接してロックされ、このとき、シャワー用押し釦１１０は、ロック機構１６０の２つのロック用ツメ部１５２と押し釦１０８の２つのロック用リブ１５４が離れてロックが解除される。
また、図２０（ｂ）に示すように、ロック機構１６０を右方向Ｒに移動させると、カラン用押し釦１０８は、ロック機構１６０の２つのロック用ツメ部１５２と押し釦１０８の２つのロック用リブ１５４が離れてロックが解除され、このとき、シャワー用押し釦１１０は、ロック機構１６０の２つのロック用ツメ部１５２と押し釦１０８の２つのロック用リブ１５４とが当接してロックされる。
【００４５】
このように、この例では、ロック機構１６０により、カラン用押し釦１０８及びシャワー用押し釦１１０の何れか一方のみをロックすることができるので、不要な側の押し釦が不意に操作され吐水状態となることを確実に防止することができる。
【００４６】
次に、図２１により、本実施形態によるロック機構の更なる他の例を説明する。図２１は本実施形態によるロック機構の更なる他の例を使用した押ボタンユニット及びその近傍を示す正面図である。この例では、カラン用押し釦１０８をロックするためのカラン用ロック機構１６２及びシャワー用押し釦１１０をロックするためのシャワー用ロック機構１６４が設けられており、カラン用押し釦１０８及びシャワー用押し釦１１０が、それぞれ、独立してロック及びロック解除できるようになっている。
【００４７】
具体的には、図２１（ａ）に示すように、カラン用ロック機構１６２及びシャワー用ロック機構１６４の両方を左方向Ｌに移動させると、カラン用押し釦１０８及びシャワー用押し釦１１０の両方は、各ロック機構１６２，１６４のそれぞれの２つのロック用ツメ部１５２が各押し釦１０８，１１０のそれぞれの２つのロック用リブ１５４から離れて、それぞれ、ロックが解除される。
また、図２１（ｂ）に示すように、カラン用ロック機構１６２を左方向Ｌに移動させ、シャワー用ロック機構１６４を右方向Ｒに移動させると、カラン用押し釦１０８は、カラン用ロック機構１６２の２つのロック用ツメ部１５２が押し釦１０８の２つのロック用リブ１５４から離れてロックが解除され、このとき、シャワー用押し釦１１０は、シャワー用ロック機構１６４の２つのロック用ツメ部１５２と押し釦１０８の２つのロック用リブ１５４とが当接してロックされる。
【００４８】
さらに、図示されていないが、カラン用ロック機構１６２及びシャワー用ロック機構１６４の両方を右方向Ｒに移動させることにより、カラン用押し釦１０８及びシャワー用押し釦１１０の両方をロックすることも出来るし、また、カラン用ロック機構１６２を右方向Ｒに移動させ、シャワー用ロック機構１６４を左方向Ｌに移動させると、カラン用押し釦１０８をロックし、シャワー用押し釦１１０をロック解除することも出来る。
【００４９】
このように、この例では、カラン用押し釦１０８及びシャワー用押し釦１１０が、それぞれ、独立してロック及びロック解除できるようになっているので、使用者は、任意に、カラン用押し釦１０８及びシャワー用押し釦１１０を、ロックし又はロック解除することができ、それにより、不要な側の押し釦が不意に操作され吐水状態となることを確実に防止することができる。
【００５０】
次に、図２２により、パイロット式開閉弁装置である開閉弁ユニット１３０（１３２）の基本構造を説明する。
図２２に示すように、開閉弁ユニット１３０（１３２）は、使用者がシャワー用の押し釦１０８（１１０）を押すとこの押圧操作により下方に押される操作部３６と、操作部３６にその基端が結合された押し棒３８と、この押し棒３８の先端に設けられたパイロット弁４０とを備えている。ここで、押し棒３８の先端（下端）とパイロット弁４０との間には緩衝手段であるコイルばね４２が設けられている。開閉弁ユニット３２は、更に，パイロット弁４０の下方に、パイロット弁口（圧力開放穴）４４を備えパイロット弁４０がこのパイロット弁口４４に当接及び解離するダイヤフラム式の主弁４６と、この主弁４６の背面に形成され押し棒３８、パイロット弁４０及びコイルばね４２を収納する圧力室４８を形成するためのハウジング５０と、主弁４６の表面が着座及び離座する弁座５２とを備えている。また、ハウジング５０の押し棒３８が挿通される部分には、シール部材５４が設けられている。さらに、主弁４６の外周側には、小穴（一次圧流入口）５６が形成されている。
【００５１】
次に、開閉弁ユニット１３０（１３２）の基本動作を説明する。この開閉弁ユニット１３０（１３２）においては、圧力室４８内に設けられたパイロット弁４０を、主弁４６のパイロット弁口４４に当接及び解離させることで、パイロット弁４０を開閉し、止水と吐水を切り替えるようになっている。
先ず、吐水状態から止水状態に切り替えるときは、押し棒３８によりパイロット弁４０をパイロット弁口４４に当接する方向に押さなければならない。このとき、押し棒３８は、その断面積に相当する面積に作用する水圧により上向きの力を受け、さらに、シール部材５４による摺動摩擦抵抗があり、これらに抗して操作部３６を押す必要があるが、この力（操作力）は小さな値である。
【００５２】
次に、パイロット弁４０が主弁４６のパイロット弁口４４に当接すると、一次側通水路の一次圧の水が小穴５６を通って圧力室４８内に流入し、これに伴い、主弁４６が遅い速度で、弁座５２に向って移動する。これにより、主弁４６が弁座５２に着座し、止水状態に切り替わる。
【００５３】
さらに、この開閉弁ユニット１３０（１３２）では、緩衝手段であるコイルばね４２を、押し棒３８とパイロット弁４０との間、即ち、圧力室４８内に設けたので、このコイルばね４２には、パイロット弁４０がパイロット弁口４４に当接するまでは力は作用せず、さらに、詳細は後述するように、パイロット弁４０がパイロット弁口４４に当接した以降も小さな力を作用させればよい。
【００５４】
また、止水状態から吐水状態に切り替えるときは、操作部３６を押せば、後述するパイロット弁保持切替機構６２及び付勢用ばね６８により、パイロット弁４０が主弁４６のパイロット弁口（圧力開放穴）４４から解離し、それにより、圧力室４８が開放され、主弁４６が弁座５２から離座し、吐水状態となる（図２４参照）。
【００５５】
なお、開閉弁ユニット３２では、上述したように、主弁４６の移動速度を意図的に小さくしているが、これは、主弁４６の閉止時のウォーターハンマーの発生を抑えるためである。即ち、主弁４６に設けられた小穴５６から圧力室４８に一次側の水が流入することで圧力室４８内が一次圧の水で満たされ、主弁４６が弁座５２の方向に移動するが、小穴５６を通常非常に小さな径としているので、圧力室４８への水の流入速度が抑えられ、これにより、主弁４６の移動速度（閉止速度）を抑え、主弁閉止時のウォーターハンマーの発生を抑えるようにしている。
【００５６】
次に、図２３及び図２４により、開閉弁ユニット（パイロット式開閉弁装置）１３０（１３２）の構造をより具体的に説明する。図２３は開閉弁ユニット（パイロット式開閉弁装置）における止水状態（閉状態）を示す断面図であり、図２４は開閉弁ユニット（パイロット式開閉弁装置）における吐水状態（開状態）を示す断面図である。
【００５７】
先ず、図２３に示すように、開閉弁ユニット３２は、図２４により既に説明した、操作部３６、押し棒３８、パイロット弁４０、緩衝手段であるコイルばね４２、パイロット弁口（圧力開放穴）４４を備えたダイヤフラム式の主弁４６、圧力室４８を形成するためのハウジング５０（５０ａ，５０ｂ）、弁座５２、シール部材５４、小穴５６を備えている。
【００５８】
次に、上述した小穴（一次圧流入口）５６には、クリーニング用のピン５８が挿入されており、小穴５６の一次圧流入口の通水面積を絞っている。これにより、上述したように、一次圧の圧力室への流入速度を抑制することで主弁４６の閉止速度を緩やかにし、閉止時に発生するウォーターハンマーを低減できるようにしている。
【００５９】
圧力室４８を形成するハウジング５０は、主にパイロット弁４０が配置された空間を取り囲む第１ハウジング５０ａと、主弁４６の背面側の空間を取り囲む第２ハウジング５０ｂから構成されている。
また、最外周側には、操作部３６、第１ハウジング５０ａ、第２ハウジング５０ｂ、弁座５２の４つの部品を組み付けることにより、開閉弁ユニット３２を組み立てるための組付ナット６０が配置されている。
【００６０】
開閉弁ユニット１３０（１３２）は、さらに、パイロット弁切替保持機構６２を備えている。このパイロット弁切替保持機構６２は、上述したカラン用押し釦１０８及びシャワー用押し釦１１０に連動しており、これらの押し釦１０８，１１０を押す毎に、即ち、操作部３６が押される毎に、パイロット弁４０の吐水状態位置と止水状態位置の切り替えを繰り返すと共にパイロット弁４０を吐水状態位置及び止水状態位置に保持する機能を有する。
【００６１】
このパイロット弁切替保持機構６２は、一般にノック式ボールペンのノック機構などで使用される機構でもよいが、本実施形態では、図２３に示すように、操作部３６と連動して移動するピン６４と、第１ハウジング５０ａの外周面に形成されピン６４の下方側が弾性変形しながらこれに沿って移動する逆ハート形状のカム溝６６と、止水状態（閉状態）でピン６４を保持する保持用突起６８から形成されたハートカム機構である。
【００６２】
パイロット弁切替保持機構６２がハートカム機構であるので、圧力室４８をシールするシール部材５４に、押し棒３８の往復運動（上下運動）のみが作用し、上述したノック機構のように押し棒３８の回転運動が作用しないため、シール部材５４への負担が少なくなり、高い信頼性が得られる。
【００６３】
また、符号６９は、付勢用ばねであり、この付勢用ばね６９により、止水状態から吐水状態に切替操作する際、即ち、押し釦８，１０が押された際、パイロット弁切替保持機構６２による止水状態位置における保持が解除され、操作部３６が上方に付勢され、パイロット弁４０が弁体４２から解離し、容易に吐水状態に切り替えることができるようになっている。
【００６４】
次に、押し棒３８とパイロット弁４０の結合部について説明する。図２３及び図２４に示すように、押し棒３８の先端（下端）であって圧力室４８の内部には、上述したように、押し棒３８のストローク方向の移動距離（変位量）を吸収する緩衝手段であるコイルばね４２が設けられている。押し棒３８の先端（下端）に大径部３８ａが形成され、さらに、パイロット弁４０の先端には、パッキン４０ａが装着されている。パイロット弁４０は、中空部４０ｂを有し、この中空部４０ｂにコイルばね４２を内蔵している。パイロット弁４０の上側には、押し棒３８が摺動可能に挿入される挿入穴４０ｃが形成されている。パイロット弁４０は、弾性変形可能な樹脂材料で作られており、組立て時は、パイロット弁４０を変形させながら、押し棒３８を挿入穴４０ｃに挿入し、中空部４０ｂ内に押し棒３８の大径部３８ａを収納するようにしている。ここで、コイルばね４２は押し棒３８とパイロット弁４０とを引き離す方向に作用している。
【００６５】
これにより、止水状態から吐水状態に切り替える吐水操作時には、コイルばね４２の付勢力により押し棒３８の先端の大径部３８ａとパイロット弁４０の上側が係合し、それにより、パイロット弁４０は、押し棒３８の動きと連動し、主弁４６に形成されたパイロット弁口４４から離座する（図２４参照）。
吐水状態から止水状態に切り替える止水操作時には、パイロット弁４０が主弁４６に形成されたパイロット弁口４４に当接するとき、押し棒３８の大径部３８ａは、パイロット弁４０の上側から離れて下降するが、押し棒３８のストローク方向の移動距離（変位量）はコイルばね４２により吸収される（図２３参照）。
【００６６】
これにより、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００６７】
さらに、開閉弁ユニット１３０（１３２）において、押し棒３８には、上述したように、圧力室４８内の水圧により受ける上向きの力（押し棒３８の断面積に相当する面積に作用する水圧）が作用するので、操作部３６における操作力を小さくするためには、押し棒３８の径は、出来る限り小さいのが好ましい。例えば、押し棒３８を、主弁４６のパイロット弁口４４よりも小径に形成するようにしても良い（図示せず）。これにより、高水圧時にも、操作力（押し力）を低くすることができるとともに確実な止水性を確保できる。
【００６８】
さらに、パイロット弁４０は、止水時、つまりパイロット弁４０がパイロット弁口４４に着座しているとき、パイロット弁４０は、一次圧を受け、その結果、パイロット弁４０がパイロット弁口４４へ着座する方向に力が働き、止水機能が確実となる。
【００６９】
さらに、押し棒３８は、ステンレス鋼にて形成されている。このため、押し棒３８を小径とした場合であっても、水中の使用に対して十分な耐食性が得られ、信頼性が向上する。
【００７０】
次に、図２５及び図２６により、上述したパイロット式開閉弁装置（開閉弁ユニット）によれば、緩衝手段であるコイルばねに作用する荷重（ばね荷重）が小さくなり、それにより、ばね定数を小さくでき、その結果、良好な操作感を得ることができ、コンパクト化を図ることができるので、以下その理由を説明する。
ここでは、押し棒３８の直径が２ｍｍ、水圧が０．７５ＭＰａ（水道圧の最大値）、シール部材５４の摺動摩擦抵抗に抗する力が０．６Ｎであるという条件を例として説明する。
【００７１】
図２５は、本実施形態に使用される開閉弁ユニットによる止水操作時（吐水状態から止水状態への切替時）の操作部３６の移動距離（変位量）（ｍｍ）と操作力Ｆ（Ｎ）との関係を示した線図である。図２６は、本実施形態に使用される開閉弁ユニットによる止水操作時の操作部３６の移動距離（変位量）（ｍｍ）とコイルばねに作用するばね荷重（Ｎ）との関係を示した線図である。ここで、ｄ０は止水操作開始時の位置、ｄ１はパイロット弁４０がパイロット弁口４４に当接する位置、ｄ２は操作部３６がパイロット弁切替保持機構６２により移動（変位）可能な最下端の位置を示している。
【００７２】
先ず、本実施形態においては、コイルばね４２は、組付け時にごく小さな荷重（例えば、０．１Ｎ）を作用させた状態でパイロット弁４０の中空部４０ｂに取り付けられている。
次に、ｄ０の位置からｄ１の位置までの間、即ち、パイロット弁４０がパイロット弁口４４に当接するまでは、押し棒３８には、上述した水圧により受ける力２．４Ｎ（＝押し棒の断面積×水圧＝３．１４ｍｍ２ ×０．７５ＭＰａ）及びシール部材５４の摺動摩擦抵抗に抗する力０．６Ｎの合力に釣り合う操作力３Ｎ（＝２．４Ｎ＋０．６Ｎ）が作用している。この結果、図２５に示すように、パイロット弁４０がパイロット弁口４４に当接するまでは、操作力Ｆは、３Ｎとなる。
一方、パイロット弁４０がパイロット弁口４４に当接するまで（ｄ０の位置からｄ１の位置までの間）は、図６に示すように、コイルばね４２には、荷重は作用していない、即ち、ばね荷重はゼロである。
【００７３】
次に、パイロット弁４０がパイロット弁口４４に当接した以降において、操作力によりコイルばね４２をたわます必要があるが、このコイルばね４２には、パイロット弁４０がパイロット弁口４４に当接するまで、ほとんど荷重が作用していないので、コイルばね４２をたわませるために作用するばね荷重は、極めて小さな荷重（ほぼゼロ）で良い。それゆえ、本実施形態に使用されるパイロット式開閉弁装置では、操作部３６が移動（変位）可能な最下端の位置ｄ２において、ばね荷重が．０．４Ｎ程度の値となるような小さな値のばね定数を設定した。
具体的に説明すると、パイロット弁４０がパイロット弁口４４に当接した以降、即ち、操作部の移動距離がｄ１からｄ２まで変化するときのコイルばね４２のたわみ量（δ）は、４ｍｍである。ここで、組付け時のばね荷重をゼロとした場合、コイルばね４２のばね定数は、０．１Ｎ／ｍｍ（＝０．４Ｎ／４ｍｍ）となり、組付け時のばね荷重を０．１Ｎとした場合には、０．０７５Ｎ／ｍｍ（＝（０．４‐０．１）Ｎ／４ｍｍ）となる。
【００７４】
ここで、本実施形態の開閉弁ユニットにおける緩衝手段であるコイルばねのばね定数の好ましい範囲を説明する。
先ず、本実施形態では、０．０１〜２Ｎ／ｍｍの範囲が好ましく、コイルばねのばね定数をこの範囲に設定することにより、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００７５】
次に、パイロット弁４０がパイロット弁口４４に当接するまで（ｄ０からｄ１の間）の操作力（３Ｎ）を初期操作力とした場合、パイロット弁４０がパイロット弁口４４に当接した以降に付加される操作力（ばね荷重）が、この初期操作力の値（３Ｎ）以下であれば、止水操作時において、(1) パイロット弁４０がパイロット弁口４４に当接するまでと、(2) パイロット弁４０がパイロット弁口４４に当接した以降の両方において、操作力に差（ムラ）がなくなり、操作感がより好ましいものとなる。この場合には、コイルばねのばね定数を、０．０１〜Ｐ１ｄ２π/（４δ）Ｎ／ｍｍと設定すればよい。ここで、δはコイルばねのたわみ量（ｍｍ）、Ｐ１  は水圧（ＭＰａ）、ｄは押し棒部の直径（ｍｍ）である。
【００７６】
また、上述した場合についてより具体的に説明すると、押し棒の直径が２ｍｍ、水圧が０．７５ＭＰａ（水道圧の最大値）、コイルばね４２のたわみ量が４ｍｍである場合には、コイルばねのばね定数は、０．０１〜０．７５Ｎ／ｍｍ（＝３Ｎ／４ｍｍ）となる。
このため、本実施形態では、コイルばねのばね定数を、０．０１〜０．７５Ｎ／ｍｍの範囲に設定するようにしても良く、それにより、(1) パイロット弁４０がパイロット弁口４４に当接するまでと、(2) パイロット弁４０がパイロット弁口４４に当接した以降の両方において、操作力に差（ムラ）がなくなり、操作感がより好ましいものとなる。
【００７７】
上述した本実施形態におけるコイルばねのばね定数の最少値は、コイルばねのばね定数を小さくするために必要な条件である、コイルばねのばね腺材の径を小さくする、コイルばねの巻数を少なくする、コイルばねの径を増やすという３つの条件に基づいて、０．０１Ｎ／ｍｍに設定した。
【００７８】
このように、本実施形態では、コイルばね４２のばね定数を、小さく設定することができる。
その結果、図２５から明らかであるが、上述したように、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
さらに、本実施形態によれば、図２６から明らかなように、ばねに作用するばね荷重が小さくなり、良好な操作感を得ることができ、さらに、コンパクト化することができる。
【００７９】
さらに、シャワー用押し釦１０等を強く押してパイロット弁４０をパイロット弁口４４に急速に当接させて弁を閉じる場合、コイルばね４２のばね定数を小さな値に設定し、それにより、ばね荷重を小さくしているので、主弁４６の移動速度を遅くすることができ、その結果、主弁に作用する瞬間的な大きな負荷の発生が防止され、ダイヤフラムの寿命を長くすることができる。
【００８０】
次に、図２７乃至図２９により、本発明の他の実施形態である湯水混合水栓について説明する。図２７は本発明の他の実施形態である湯水混合水栓の側面部を切り欠いて示す部分切欠斜視図であり、図２８は図２７に示す湯水混合水栓のロック解除時の正面部を切り欠いて示す部分切欠斜視図であり、図２９は図２７に示す湯水混合水栓のロック時の正面部を切り欠いて示す部分切欠斜視図である。
【００８１】
図２７乃至図２９に示すように、符号２０１は、湯水混合水栓を示し、この湯水混合水栓２０１は、湯水混合水栓２０１の設置面である壁面２０２から突出して設けられている。この湯水混合水栓２０１は、水栓本体２０３の一部である板状の断熱カバー２０４を備え、この断熱カバー２０４に、温度調整用ダイヤル２０６、カラン吐水用のカラン用押し釦２０８、シャワー吐水用のシャワー用押し釦２１０がそれぞれ設けられている。また、湯水混合水栓２０１は、下面側が水栓本体２０３の一部である板状の断熱カバー２１２で被われている。
【００８２】
温度調整用ダイヤル２０６により所望の水温が設定され、湯水の混合比が調整されて、適温の吐水がなされる。また、カラン用押し釦２０８を操作することでカラン吐水口２１６から吐水され、シャワー吐水用押し釦２１０を操作することでシャワーヘッド（図示せず）からシャワー吐水がなされる。
また、カラン用押し釦２０８及びシャワー用押し釦２１０を、温度調整用ダイヤル２０６よりも使用者に近い位置に配置することにより、操作性を向上させている。
また、カラン用押し釦２０８及びシャワー用押し釦２１０のそれぞれ操作面を板状の断熱カバー２０４とほぼ同一面上に設けることにより、操作性を向上させている。
【００８３】
湯水混合水栓２０１の前方下面側付近には、カラン吐水口２１６及びシャワー吐水口２１８がそれぞれ設けられている。
また、湯水混合水栓２０１の右側面及び左側面には、図２７にそれらの一部が示されているが、止水栓２２２の調整部、並びに、フィルター及び逆止弁２２４のメンテナンス口が設けられている。右側面のものは湯水混合水栓２０１に流入する水用のものであり、左側面のものは湯用のものである。
湯水混合水栓２０１の壁固定面には、給水管２２６及び給湯管を接続する接続部がそれぞれ設けられている。
【００８４】
使用者は、温度調整用ダイヤル２０６により所望の温度を設定するとともに、カラン吐水を得たい場合はカラン用押し釦２０８を、シャワー吐水を得たい場合はシャワー用押し釦２１０を押すことにより、直ちに、所望の温度の混合水の吐水を得ることができる。そして、各押し釦２０８、２１０を再度押すと、止水されるようになっている。
【００８５】
このときの湯水混合水栓２０１内における湯水の流れを説明すると、先ず、給水管２２６、給湯管から湯水混合水栓２０１内に流入した湯水は、湯用、水用それぞれに設けられた止水栓２２２により適当な流量に絞られ、湯用、水用それぞれに設けられたフィルターおよび逆止弁２２４を通過し、温度調節弁に流入する。温度調節弁はサーモスタット式の湯水混合弁であり、湯と水は所望の設定された温度に自動調整され、湯水混合水が温度調節弁から流出する。その後、湯水混合水はカラン用、シャワー用それぞれに設けられた開閉弁ユニット（パイロット式開閉弁装置）２３０，２３２（図２７には開閉弁ユニット２３２のみが示されている）を経て、カラン吐水口およびシャワーヘッドから吐水される。なお、開閉弁ユニット（パイロット式開閉弁装置）２３０，２３２は、上述した開閉弁ユニット３０，３２と同様であるので説明は省略する。
【００８６】
図２７に示されているように、開閉弁ユニット２３０，２３２（図２７には開閉弁ユニット２３２のみが示されている）が、それぞれ、湯水混合水栓２０１のカラン用押し釦２０８及びシャワー用押し釦２１０の下面側に接触して設けられている。これらの開閉弁ユニット２３０，２３２は、それぞれ、開閉弁ユニット取付用ナット２３４により、湯水混合水栓２０１の本体側に取り付けられている。
【００８７】
本実施形態の湯水混合水栓２０１は、さらに、カラン用押し釦２０８及びシャワー用押し釦２１０をロックして止水状態を保持するロック機構２４２を備えている。
本実施形態によるロック機構２４２は、図２７に示すように、押し釦２０８，２１０と断熱カバー２１２との間に取り付けられている。
また、ロック機構２４２は、図２８及び図２９に示すように、その中央部に突起部２４０を備え、左右方向の両側には突起部２４０と一体的に形成された４つのロック用ストッパー２５２を備えている。この突起部２４０により、ロック機構３４３の上下方向のガタツキを抑制している。さらに、突起部２４０の下方側には、摘み部２４４を備えている。この摘み部２４４は、断熱カバー２１２に形成された開口（図示せず）に挿通され、断熱カバー２１２の外部に露出され、使用者が操作できるようになっている。
【００８８】
一方、押し釦２０８，２１０は、それぞれ、その裏面側に一体的に形成された２つのロック用凸部２５４を備え、これらのロック用凸部２５４がストッパー２５２と当接して、押し釦２０８，２１０をロックするようになっている。
このロック機構２４２は、使用者が摘み部２４４を操作することにより、断熱カバー２１２に沿って左方向Ｌ及び右方向Ｒに移動可能であり、右方向Ｒに移動したとき、カラン用押し釦２０８及びシャワー用押し釦２１０の両方が同時にロック解除状態となり（図２８参照））、左方向Ｌに移動したとき、カラン用押し釦２０８及びシャワー用押し釦２１０の両方が同時にロック状態となる（図２９参照）。
【００８９】
具体的には、使用者が湯水混合水栓２０１を使用する場合には、図２９のロック時から図２８のロック解除時とするために、ロック機構２４２を右方向Ｒに移動させる。ロック機構１４２の４つのロック用ストッパー２５２は、ロック用凸部３５４から離れた位置となり、押し釦２０８及び２１０の両方のロックは同時に解除され、押し釦２０８，２１０を押圧すると下降して、止水状態から吐水状態に切り替わるようになっている。
【００９０】
一方、使用者は、湯水混合水栓２０１を掃除するとき、水栓を使用しないとき、子供に操作させたくないとき、誤操作を防止する必要がある等のときは、図２８のロック解除時から図２９のロック時とするために、ロック機構２４２を左方向Ｌに移動させる。このとき、ロック機構２４２の４つのロック用ストッパー２５２はロック用凸部３５４にぞれぞれ当接し、それにより、カラン用押し釦２０８及びシャワー用押し釦２１０の両方が同時にロックされ、カラン用押し釦２０８及び／又はシャワー用押し釦２１０を押圧しても下降しないようになっている。
【００９１】
このように、本実施形態のロック機構２４２によれば、掃除のとき、水栓を使用しないとき、子供に操作させたくないとき、誤操作を防止する必要がある等のときは、不意に押し釦２０８，２１０が操作されても、押し釦２０８，２１０がロックされて止水状態が保持されているため、吐水状態とはならない。その結果、本実施形態によれば、上述した実施形態（図１乃至図２６）と同様に、押し釦が誤って操作された場合等においても衣服が濡れたり火傷を負ったりすることを確実に防止することができる。
【００９２】
また、本実施形態（図２７乃至図２９）の湯水混合水栓において、ロック機構として、図２０及び図２１に示すタイプのものを使用しても良い。
即ち、図２０に示すロック機構のように、カラン用押し釦２０８及びシャワー用押し釦２１０の何れか一方のみをロックするようにして、即ち、カラン用押し釦２０８及びシャワー用押し釦２１０の一方がロック時には他方はロック解除されているようにしても良い。
また、図２１に示すロック機構のように、カラン用押し釦２０８をロックするためのカラン用ロック機構及びシャワー用押し釦２１０をロックするためのシャワー用ロック機構を設け、カラン用押し釦２０８及びシャワー用押し釦２１０が、それぞれ、独立してロック及びロック解除できるようにしても良い。
【００９３】
本発明においては、上述したように、図１の湯水混合水栓１０１及び図２７の湯水混合水栓２０１に、それぞれ、ロック機構を設けることにより、押し釦が不意に操作されることがないようにしている。
しかしながら、本発明においては、ロック機構に限らず、例えば、水栓本体の表面上にカラン用押し釦及び／又はシャワー用押し釦を覆うことができる釦カバーを設け、この釦カバーは、通常は、カラン用押し釦及びシャワー用押し釦を覆うことがないが、止水状態を保持させたいときは、使用者がこの釦カバーを移動させてカラン用押し釦及び／又はシャワー用押し釦を覆い、これにより、押し釦の動作を規制して止水状態を保持するようにしても良い。
【図面の簡単な説明】
【００９４】
【図１】本発明の実施形態による湯水混合水栓を示す全体斜視図である。
【図２】図１に示された湯水混合水栓の平面図である。
【図３】図１に示す湯水混合水栓の部品を展開して示す展開図である。
【図４】本発明の実施形態の水栓本体を示す平面図である。
【図５】図４のＡ−Ａ線、Ｂ−Ｂ線及びＣ−Ｃ線に沿って見た断面図である。
【図６】本発明の実施形態による押ボタンユニットの部品を展開して示す展開図である。
【図７】本発明の実施形態による押し釦を裏側から見た斜視図である。
【図８】本発明の実施形態による押ボタンユニットを示す正面図である。
【図９】図８のＤ−Ｄ線に沿って見た断面図である。
【図１０】ロック解除時に使用者が押し釦を操作するときの押し釦の各レベルを示す混合水栓の部分断面図である。
【図１１】本発明の実施形態の押し釦による止水状態（図１１（ａ））と吐水状態（図１１（ｂ））を示す側面図である。
【図１２】本実施形態のベースプレートを図６のＦ方向から見た図である。
【図１３】図１２のＧ−Ｇ線に沿って見た断面図である。
【図１４】本実施形態のロック機構を示す正面図である。
【図１５】図１４の側面図である。
【図１６】本実施形態におけるロック機構が取り付けられた状態を示す押ボタンユニットの断面図である。
【図１７】図８のＥ‐Ｅ線に沿って見た押ボタンユニット（開閉弁ユニットを含む）のロック解除時（図１７（ａ））及びロック時（図１７（ｂ））を示す部分断面図である。
【図１８】本実施形態の押ボタンユニット及びその近傍のロック解除時（図１８（ａ））及びロック時（図１８（ｂ））を示す正面図である。
【図１９】本実施形態の押ボタンユニットのロック解除時（図１９（ａ））及びロック時（図１９（ｂ））を示す斜視図である。
【図２０】本実施形態によるロック機構の他の例を使用した押ボタンユニット及びその近傍を示す正面図である。
【図２１】本実施形態によるロック機構の更なる他の例を使用した押ボタンユニット及びその近傍を示す正面図である。
【図２２】本発明の実施形態の開閉弁ユニットの基本構造を示す概略図である。
【図２３】開閉弁ユニットにおける止水状態（閉状態）を示す断面図である。
【図２４】開閉弁ユニットにおける吐水状態（開状態）を示す断面図である。
【図２５】本実施形態による止水操作時の操作部の移動距離（変位量）と操作力Ｆとの関係を示した線図である。
【図２６】本実施形態による止水操作時の操作部の移動距離（変位量）とコイルばねに作用するばね荷重（Ｎ）との関係を示した線図である。
【図２７】本発明の他の実施形態である湯水混合水栓の側面部を切り欠いて示す部分切欠斜視図である。
【図２８】図２７に示す湯水混合水栓のロック解除時の正面部を切り欠いて示す部分切欠斜視図である。
【図２９】図２７に示す湯水混合水栓のロック時の正面部を切り欠いて示す部分切欠斜視図である。
【符号の説明】
【００９５】
１０１，２０１  湯水混合水栓
１０２，２０３  水栓本体
１０６  押ボタンユニット
１０８，２０８  カラン用押し釦
１１０，２１０  シャワー用押し釦
１１２  ベースプレート
１１６，２１６  カラン吐水口
１１８，２１８  シャワー吐水口
１２０  カラン吐水管
１３０，１３２，２３０，２３２  開閉弁ユニット
１３４，２３４  開閉弁ユニット取付用ナット
１３６  固定用ビス
１３８  仕切り部
１４０  コイルばね（付勢手段）
１４２，１６０，２４２  ロック機構
１４４  支持軸
１４６  操作用突起
１４８  取付用溝
１５０  突起
１５２  ロック用ツメ部
１５４  ロック用リブ
１６２  カラン用ロック機構
１６４  シャワー用ロック機構
１６８  係止片
１７０  固定用フランジ
１７２  中央底面部
１７４  他の底面部
１７６  突起
１７８  係止片
１８０  係止口部
１８２  段差
１８４  摘み部
２０４，２１２  断熱カバー
２４０  突起部
２４４  摘み部
２５２  ストッパー
２５４  凸部
【図１】
2005120596.tif 000003
【図２】
2005120596.tif 000004
【図３】
2005120596.tif 000005
【図４】
2005120596.tif 000006
【図５】
2005120596.tif 000007
【図６】
2005120596.tif 000008
【図７】
2005120596.tif 000009
【図８】
2005120596.tif 000010
【図９】
2005120596.tif 000011
【図１０】
2005120596.tif 000012
【図１１】
2005120596.tif 000013
【図１２】
2005120596.tif 000014
【図１３】
2005120596.tif 000015
【図１４】
2005120596.tif 000016
【図１５】
2005120596.tif 000017
【図１６】
2005120596.tif 000018
【図１７】
2005120596.tif 000019
【図１８】
2005120596.tif 000020
【図１９】
2005120596.tif 000021
【図２０】
2005120596.tif 000022
【図２１】
2005120596.tif 000023
【図２２】
2005120596.tif 000024
【図２３】
2005120596.tif 000025
【図２４】
2005120596.tif 000026
【図２５】
2005120596.tif 000027
【図２６】
2005120596.tif 000028
【図２７】
2005120596.tif 000029
【図２８】
2005120596.tif 000030
【図２９】
2005120596.tif 000031